(57)【要約】      （修正有）【課題】携帯情報機器のタッチパネル専用のペン先の芯を採用した多色ボールペンに関するもの。【解決手段】本考案は、市販の多色ボールペン等の芯３本の内の１本にタッチパネル専用のペン先を装着しており、情報機器への文字入力・操作の際に、このペン先を使用する事ができます。使いやすい・長いボールペンである事から優れた操作性を実現。  多色ボールペンとしても利用できます。【選択図】図１
0003116984.tif 000002
【実用新案登録請求の範囲】
【請求項１】
複数色のボールペンの芯・シャープペン、並びに、タッチパネルを傷つけないプラスチック製の素材を採用した専用のペン先を有する芯を装着した多色ボールペンで、筆記器具として紙・手帳等へのメモ等に使える上、ペン入力携帯電話機へのペン入力が行える、優れた操作性・利便性を特長とするボールペン。
【請求項２】
複数色のボールペンの芯・シャープペン、並びに、タッチパネルを傷つけないプラスチック製の素材を採用した専用のペン先を有する芯を装着した多色ボールペンで、筆記器具として紙・手帳等へのメモ等に使える上、ペン入力電子辞書・携帯情報機器へのペン入力が行える、優れた操作性・利便性を特長とするボールペン。
【考案の詳細な説明】
【技術分野】
【０００１】現在、携帯情報端末・電子辞書・携帯電話機には、ペン入力により効率的な文字入力を行う為、タッチパネルを採用した商品が開発されています。
【背景技術】
【０００２】現在、携帯情報端末・電子辞書・携帯電話機には、ペン入力により効率的な文字入力を行う為、タッチパネルを液晶パネル前面に配置した商品が開発されています。これらの商品ではタッチパネルを専用のペンにてタッチする事により、表示されている文字をスピーディに効率的に文字入力等が行えます。
【考案の開示】
【考案が解決しようとする課題】
【０００３】現在、携帯情報端末・電子辞書・携帯電話機には、ペン入力により効率的な文字入力を行う為、液晶パネル前面にタッチパネルを貼り付けた商品が開発されています。これらの情報機器で使用されているペンは、先端又は全体がタッチパネルを傷つけないように配慮した軟質素材等が使用されています。
一般のボールペン等をそのまま使用した場合はタッチパネルを傷つける可能性があります。また、専用ペンは、携帯情報機器本体に収納できるペンが主流を占めています。しかし、本体の携帯性の追求の為、専用ペンは細く・短く・使いずらいものが主流を占めています。また、本体に収納できるタイプが多い為、本体の外形寸法が大きくなる課題点があります。操作性の改善の為、ペンを持ちやすく・長くすると、本体の携帯性が損なわれる上、本体側のコストアップにつながります。
【課題を解決する為の手段】
【０００４】現在、専用ペンは何れも本体への収納と携帯性追求の為、細く・短いものが主流を占めています。その為、操作性・使い勝手はあまり良いとは言えません。ペンの長さや太さを持ちやすくすると、携帯性が損なわれてしまいます。本考案は、今までにない発想に基づき、ビジネスマン・学生等が外出時に常に携帯している市販の３色ボールペンに着目し、内１本のボールペンのペン先にタッチパネル専用のプラスチック製のペン先を装着するものです。
本考案は、金型費・開発費の削減・製品価格を抑える為、市販の３色ボールペンと全く同じ構造・機構・部品を採用しています。但し、違いは３色のボールペンの３本の芯の内、１本につきプラスチックのタッチパネル用のペン先を有する芯を装着している点にあります。ボールペン以外にもシャープペンとの組み合わせも想定されます。
【考案の効果】
【０００５】本考案は、市販の３色又は２色ボールペンの内の１本のボールペンの芯の代わりにタッチパネルを傷つけない素材を使用したプラスチックのペン先付のついた芯を装着するものです。
この事により、ビジネスマン・学生他が外出時に常に携帯しているボールペンをタッチパネル専用のペンに早代わりさせるものです。
本ボールペンは、市販の３色ボールペンと同じ機構・部品を採用、但しタッチパネル用ペン芯を採用している為、タッチパネル専用ペンとして使用できます。本考案はタッチパネル専用芯に加え、赤色・黒色のボールペンの芯を装着している事から、スライドレバーによりそれぞれの芯を出して、タッチパネル用ペンやボールペンとしても利用できます。
本考案は、市販の長く・ある程度の太さを有する・持ちやすいボールペンであることから、携帯情報機器本体に収納可能な細く・短いペンに比べ、優れた操作性・使い勝手を実現します。また、筆記器具としてもボールペンを利用でき、利便性に富んでいます。
タッチパネル専用ペン芯以外は、市販のボールペンそのものを使用する事によりコスト的にも安価な事を特長としています。
携帯時は、タッチパネル用のペン先に汚れ・油等が付着するのを防ぐ為、ペン先を引っ込め、背広・ワイシャツの胸のポケット・バック等にて携帯できます。  この事により情報機器本体には収納部を設ける必要はありません。
【実施例】
【０００６】図１にタッチパネル用ペン先を有する芯とボールペン芯を合計３本装着した多色ボールペンの具体的な実施例について説明します。
【図面の簡単な説明】
【０００７】
【図１】多色ボールペンの側面図にて本考案の説明を行います。
【図２】多色ボールペンの側面の断面図にて本考案の基本構造・構成部品の説明を行います。
【図３】多色ボールペンの正面の断面図にて本考案の説明を行います。
【図４】多色ボールペンによるペン入力携帯電話機での利用例を図にて説明します。
【符号の説明】
【０００９】１  タッチパネル用ペン先を装着した多色ボールペン
２  スライドレバー、黒ボールペン用
３  スライドレバー、タッチパネル専用ペン用
４  タッチパネル専用ペン先
５  タッチパネル専用ペンの芯
６  ばね
７  タッチパネル専用の芯、タッチパネル専用ペン先を有する
８  ボールペンの芯、黒色のボールペン
９  ボールペンの芯、赤色のボールペン又はシャープペン
【図１】
0003116984.tif 000003
【図２】
0003116984.tif 000004
【図３】
0003116984.tif 000005
【図４】
0003116984.tif 000006
【図５】
0003116984.tif 000007
【手続補正書】
【提出日】平成17年9月16日(2005.9.16)
【手続補正１】
【補正対象書類名】明細書
【補正対象項目名】０００７
【補正方法】変更
【補正の内容】
【０００７】
【図１】多色ボールペンの側面図にて本考案の説明を行います。
【図２】多色ボールペンの側面の断面図にて本考案の基本構造・構成部品の説明を行います。
【図３】多色ボールペンの正面の断面図にて本考案の説明を行います。
【図４】タッチパネル用ペン先を有するボールペンの芯を図にて説明します。
【図５】多色ボールペンによるペン入力携帯電話機での利用例を図にて説明します。
【手続補正２】
【補正対象書類名】明細書
【補正対象項目名】０００８
【補正方法】変更
【補正の内容】
【０００８】１    タッチパネル用ペン先を装着した多色ボールペン
２    スライドレバー、黒ボールペン用
３    スライドレバー、タッチパネル専用ペン用
４    タッチパネル専用ペン先
５    タッチパネル専用ペンの芯・単品、タッチパネル専用ペン先を有する
６    ばね
７    タッチパネル専用の芯・組み込み時、タッチパネル専用ペン先を有する
８    ボールペンの芯、黒色のボールペン
９    ボールペンの芯、赤色のボールペン又はシャープペン
１０  携帯電話機等の携帯情報機器